(57)【要約】【課題】ハイブリッドディスクを含む光ディスクの種別を適切に判別できるディスク再生装置及びディスク判別方法を提供する。【解決手段】ハイブリッドディスクを含む光ディスクを再生するディスク再生装置において、下限位置からフォーカス方向に上限位置まで対物レンズを移動させ、アップサーチを行わせ、ＦＥ信号において、一定時間内に検出したＳカーブを光ディスクの同一規格の記録層によるものと判別することを繰り返し、光ディスクが備える規格の数を計数し、計数した規格の数に従って、前記光ディスクの種別を判別する。【選択図】図４
2008097739.tif 000002
【特許請求の範囲】
【請求項１】
複数の規格の記録層をそれぞれ複数層備えるハイブリッドディスクを含む光ディスクを再生するディスク再生装置であって、
レーザ光を照射する照射手段と、
前記照射手段が照射したレーザ光を、対物レンズを通して前記光ディスクに集光し、その反射光を、当該対物レンズを通して受光し、受光した反射光をフォーカス誤差信号に変換する変換手段と、
前記変換手段により変換されたフォーカス誤差信号においてＳカーブを検出する検出手段と、
前記対物レンズをフォーカス方向に移動させる対物レンズ移動手段と、
前記対物レンズ移動手段が前記対物レンズを所定の範囲を移動させる間、前記検出手段により一定時間内に検出したＳカーブを前記光ディスクの同一規格の記録層によるものと判別することを繰り返し、前記光ディスクが備える同一規格の記録層群の数を計数する計数手段と、
前記計数手段により計数した同一規格の記録層群の数に従って、前記光ディスクの種別を判別する判別手段と、を備える、
ことを特徴とするディスク再生装置。
【請求項２】
前記検出手段によりＳカーブを検出したときの反射光の強度に従って、当該Ｓカーブが所定の規格の記録層によるものであるか否かを分別する分別手段を備え、
前記判別手段は、前記分別手段による前記一定時間内に検出したＳカーブが所定の規格の記録層によるものであるか否かの分別と、前記計数手段により計数された同一規格の記録層群の数と、に従って、前記光ディスクの種別を判別する、
ことを特徴とする請求項１に記載のディスク再生装置。
【請求項３】
前記レーザ光は、波長６５０ｎｍの赤色レーザである、
ことを特徴とする請求項１又は２に記載のディスク再生装置。
【請求項４】
複数の規格の記録層をそれぞれ複数層備えるハイブリッドディスクを含む光ディスクを再生するディスク再生装置のディスク判別方法であって、
レーザ光を照射する照射ステップと、
前記照射ステップで照射したレーザ光を、対物レンズを通して前記光ディスクに集光し、その反射光を、当該対物レンズを通して受光し、受光した反射光をフォーカス誤差信号に変換する変換ステップと、
前記変換ステップで変換されたフォーカス誤差信号においてＳカーブを検出する検出ステップと、
前記対物レンズをフォーカス方向に移動させる対物レンズ移動ステップと、
前記対物レンズ移動ステップで前記対物レンズを所定の範囲を移動させる間、前記検出ステップで一定時間内に検出したＳカーブを前記光ディスクの同一規格の記録層によるものと判別することを繰り返し、前記光ディスクが備える同一規格の記録層群の数を計数する計数ステップと、
前記計数ステップで計数した同一規格の記録層群の数に従って、前記光ディスクの種別を判別する判別ステップと、を備える、
ことを特徴とするディスク判別方法。
【請求項５】
前記検出ステップでＳカーブを検出したときの反射光の強度に従って、当該Ｓカーブが所定の規格の記録層によるものであるか否かを分別する分別ステップを備え、
前記判別ステップは、前記分別ステップにおける前記一定時間内に検出したＳカーブが所定の規格の記録層によるものであるか否かの分別と、前記計数ステップで計数された同一規格の記録層群の数と、に従って、前記光ディスクの種別を判別する、
ことを特徴とする請求項４に記載のディスク判別方法。
【発明の詳細な説明】
【技術分野】
【０００１】
この発明は、ディスク再生装置、および、ディスク判別方法に関する。
【背景技術】
【０００２】
現在、異なる規格の複数の記録層を備える光ディスク（以下、ハイブリッドディスク）が規格化されている。
【０００３】
例えば、一層のＢＤ（Blu-ray Disc）規格の記録層（以下、ＢＤ層）と、二層のＤＶＤ（Digital Versatile Disc）規格の記録層（以下、ＤＶＤ層）とを備える３層構造のハイブリッドディスクが発表されている。また、多層のＢＤ層と多層のＤＶＤ層とＣＤ（Compact Disc）規格の記録層（以下、ＣＤ層）とを備えるハイブリッドディスクが規格化されている。また、８層までの記録層を備える構造のＢＤディスクの規格化が検討されている。
【０００４】
ところで、光ディスク装置では、これらのハイブリッドディスクやその他のディスクの何れかが装填されても、適切にディスクの種別を判別し、再生することが望まれる。
【０００５】
例えば、特許文献１には、ハイブリッドＳＡＣＤ（Super Audio CD）ディスクやＤＶＤディスクやＣＤディスクを判別する技術が開示されている。
【０００６】
しかし、この技術を上記のＢＤ層やＤＶＤ層やＣＤ層を備えるハイブリッドディスクに用いた場合、ディスクの種別を判別するのに時間が掛かる。また、同一規格の記録層が積層している場合、他の規格の記録層として、誤認識する恐れがあった。
【特許文献１】特開２００５−３１７１１６号公報
【発明の開示】
【発明が解決しようとする課題】
【０００７】
本発明は、上記問題点に鑑みてなされたもので、光ディスクの種別を迅速且つ正確に判別するディスク再生装置、及び、ディスク判別方法を提供することを目的とする。
【課題を解決するための手段】
【０００８】
上記目的を達成するために、本発明の第１の観点に係るディスク再生装置は、
複数の規格の記録層をそれぞれ複数層備えるハイブリッドディスクを含む光ディスクを再生するディスク再生装置であって、
レーザ光を照射する照射手段と、
前記照射手段が照射したレーザ光を、対物レンズを通して前記光ディスクに集光し、その反射光を、当該対物レンズを通して受光し、受光した反射光をフォーカス誤差信号に変換する変換手段と、
前記変換手段により変換されたフォーカス誤差信号においてＳカーブを検出する検出手段と、
前記対物レンズをフォーカス方向に移動させる対物レンズ移動手段と、
前記対物レンズ移動手段が前記対物レンズを所定の範囲を移動させる間、前記検出手段により一定時間内に検出したＳカーブを前記光ディスクの同一規格の記録層によるものと判別することを繰り返し、前記光ディスクが備える同一規格の記録層群の数を計数する計数手段と、
前記計数手段により計数した同一規格の記録層群の数に従って、前記光ディスクの種別を判別する判別手段と、を備える、
ことを特徴とする。
【０００９】
例えば、前記検出手段によりＳカーブを検出したときの反射光の強度に従って、当該Ｓカーブが所定の規格の記録層によるものであるか否かを分別する分別手段を備え、
前記判別手段は、前記分別手段による前記一定時間内に検出したＳカーブが所定の規格の記録層によるものであるか否かの分別と、前記計数手段により計数された同一規格の記録層群の数と、に従って、前記光ディスクの種別を判別する、
ことを特徴としてもよい。
【００１０】
例えば、前記レーザ光は、波長６５０ｎｍの赤色レーザである、
ことを特徴としてもよい。
【００１１】
本発明の第２の観点に係るディスク判別方法は、
複数の規格の記録層をそれぞれ複数層備えるハイブリッドディスクを含む光ディスクを再生するディスク再生装置のディスク判別方法であって、
レーザ光を照射する照射ステップと、
前記照射ステップで照射したレーザ光を、対物レンズを通して前記光ディスクに集光し、その反射光を、当該対物レンズを通して受光し、受光した反射光をフォーカス誤差信号に変換する変換ステップと、
前記変換ステップで変換されたフォーカス誤差信号においてＳカーブを検出する検出ステップと、
前記対物レンズをフォーカス方向に移動させる対物レンズ移動ステップと、
前記対物レンズ移動ステップで前記対物レンズを所定の範囲を移動させる間、前記検出ステップで一定時間内に検出したＳカーブを前記光ディスクの同一規格の記録層によるものと判別することを繰り返し、前記光ディスクが備える同一規格の記録層群の数を計数する計数ステップと、
前記計数ステップで計数した同一規格の記録層群の数に従って、前記光ディスクの種別を判別する判別ステップと、を備える、
ことを特徴とする。
【００１２】
例えば、前記検出ステップでＳカーブを検出したときの反射光の強度に従って、当該Ｓカーブが所定の規格の記録層によるものであるか否かを分別する分別ステップを備え、
前記判別ステップは、前記分別ステップにおける前記一定時間内に検出したＳカーブが所定の規格の記録層によるものであるか否かの分別と、前記計ステップで計数された同一規格の記録層群の数と、に従って、前記光ディスクの種別を判別する、
ことを特徴としてもよい。
【発明の効果】
【００１３】
本発明によれば、光ディスクの種別を迅速且つ正確に判別するディスク再生装置、及び、ディスク判別方法を提供できる。
【発明を実施するための最良の形態】
【００１４】
以下、本発明の実施形態に係るディスク再生装置１０を説明する。
ディスク再生装置１０は、３つの種別（ＢＤ、ＤＶＤ、ＣＤ）のディスクを再生可能な装置である。図１に示すように、ディスク再生装置１０は、光ピックアップ１１と、信号処理回路１２と、ＡＤ変換回路１３と、デコーダ回路１４と、ＡＤ変換回路１５と、制御部１６と、サーボ制御回路１７と、ピックアップドライバ１８と、から構成され、その内部に光ディスク２０を装填することができる。なお、図１中では、省略してあるが、光ディスク２０が装填されるターンテーブルやその駆動系等もディスク再生装置１０に含まれている。
【００１５】
光ピックアップ１１は、３種類の半導体レーザ（ＢＤ用、ＤＶＤ用、ＣＤ用）や対物レンズ１１ａやフォーカスアクチュエータやトラッキングアクチュエータやフォトディテクタ等を備えている。光ピックアップ１１の対物レンズ１１ａは、ピックアップドライバ１８より印加される駆動電圧に従って、フォーカスサーボを作動させ、フォーカス方向に上下移動する。対物レンズ１１ａは、半導体レーザの各レーザ光を光ディスク２０の記録面に照射し、また、その反射光を集光する。フォトディテクタは、集光された反射光を検出し、電気信号に変換し、信号処理回路１２に供給する。ただし、ＢＤ用の半導体レーザは、波長４０５ｎｍの青紫色レーザを照射し、ＤＶＤ用の半導体レーザは、波長６５０ｎｍの赤色レーザを照射し、ＣＤ用の半導体レーザは、波長７８０ｎｍの赤色レーザを照射する。
【００１６】
信号処理回路１２は、光ピックアップ１１から入力される電気信号を適宜処理し、再生ＲＦ信号（以下、ＲＦ信号）、フォーカスエラー信号（以下、ＦＥ信号）、及び、トラッキングエラー信号（以下、ＴＥ信号）等をそれぞれ生成する。そして、生成したＲＦ信号をＡＤ変換回路１３に供給し、ＦＥ信号とＴＥ信号とをＡＤ変換回路１５に供給する。
【００１７】
ＡＤ（Analog to Digital）変換回路１３、１５は、アナログ信号をデジタル信号に変換する。具体的に、ＡＤ変換回路１３は、信号処理回路１２から供給されたＲＦ信号をデジタル信号に変換し、デコーダ回路１４に供給する。また、ＡＤ変換回路１５は、信号処理回路１２から供給されたＦＥ信号とＴＥ信号とをそれぞれデジタル信号に変換し、制御部１６に供給する。
【００１８】
デコーダ回路１４は、ＡＤ変換回路１３より供給されたＲＦ信号をデコードすることによって、光ディスク２０に記録されているデータを復元し、外部装置や制御部１６に供給する。
【００１９】
制御部１６は、ＣＰＵ（Central Processing Unit）、ＲＯＭ（Read Only Memory）、ＲＡＭ（Random Access Memory）等を備え、記憶されている制御用プログラムを実行することにより、ディスク再生装置１０全体を制御する。また、制御部１６は、計時を行うタイマを備えている。
具体的には、制御部１６は、サーボ制御回路１７を制御して、フォーカス方向の下限位置からアップスイープを行い、得られたＦＥ信号をもとに光ディスク２０の種別を判別し、それをもとにして、光ディスク２０を再生する。
【００２０】
サーボ制御回路１７は、光ピックアップ１１から照射されるレーザ光が光ディスク２０の目標の記録トラックを正確に追従するように、ピックアップドライバ１８により駆動されるフォーカスアクチュエータやトラッキングアクチュエータ等をフィードバック制御する回路である。このサーボ制御回路１７は、制御部１６の制御のもと、フォーカス、トラッキング等の制御量を決定し、その制御量を制御信号としてピックアップドライバ１８に供給する。
【００２１】
ピックアップドライバ１８は、光ピックアップ１１の対物レンズ１１ａを駆動させるフォーカスアクチュエータとトラッキングアクチュエータとを動作させるために、サーボ制御回路１７より供給された制御信号に応じた電力を光ピックアップ１１に供給する。
【００２２】
ここで、図２を参照して、各規格の光ディスクについて説明する。図２（ａ）は、ＣＤ（Compact Disc）規格のディスクの模式図である。ＣＤディスクにおいては、ディスク表面３から記録面２ａ（信号面）までの距離は、１．２ｍｍであり、ディスク自体の厚さは同じく１．２ｍｍである。図２（ｂ）は、ＤＶＤ（Digital Versatile Disc）規格のディスクの模式図である。ＤＶＤディスクにおいては、ディスク表面３から記録面２ｂまでの距離は、０．６ｍｍであり、ディスク自体の厚さは１．２ｍｍである。図２（ｃ）は、ＢＤ（Blu-ray Disc）規格のディスクの模式図である。ＢＤディスクにおいては、ディスク表面３から記録面２ｃまでの距離は、０．１ｍｍであり、ディスク自体の厚さは１．２ｍｍである。図２（ｄ）は、ＢＤ層とＤＶＤ層とＣＤ層とを備えたハイブリッドディスクの模式図である。このハイブリッドディスクにおいては、ディスク表面３からＢＤ層の記録面２ｄ１までの距離は、０．１ｍｍであり、表面３からＤＶＤ層の記録面２ｄ２までの距離は、０．６ｍｍであり、表面３からＣＤ層の記録面２ｄ３までの距離は、１．２ｍｍであり、ディスク自体の厚さは１．２ｍｍである。
【００２３】
ＢＤ層とＤＶＤ層とを備えたハイブリッドディスクやＢＤ層とＣＤ層とを備えたハイブリッドディスクやＤＶＤ層とＣＤ層とを備えたハイブリッドディスクなども規格化されている。
【００２４】
さらに、ＢＤ層とＤＶＤ層とを多層化することによって、記録容量を増やしたハイブリッドディスクも規格化されている。
【００２５】
次に、図３を参照して、上記の光ディスクを判別するために通常行われる処理を説明する。先ず、図３（ａ）〜（ｃ）に示すように、マイナス方向のフォーカスドライブ信号を、光ピックアップ１１のフォーカスアクチュエータに供給して、対物レンズ１１ａをダウンスイープさせる。そして、対物レンズ１１ａがフォーカス方向の駆動下限まで達すると、光ピックアップ１１のＤＶＤ用半導体レーザの照射を開始させる。それから、プラス方向のフォーカスドライブ信号を、光ピックアップ１１のフォーカスアクチュエータに供給して、対物レンズ１１ａを一定速度でアップスイープさせる。このアップスイープは、フォーカス方向の上限位置（駆動上限）に達するまで続けられる。この動作を以下、アップサーチと呼ぶ。対物レンズ１１ａが駆動上限に達すると、今度は、マイナス方向のフォーカスドライブ信号を、光ピックアップ１１のフォーカスアクチュエータに供給して、対物レンズ１１ａを一定速度でダウンスイープさせる。この動作を以下、ダウンサーチと呼ぶ。
【００２６】
例えば、光ディスク２０が、ＢＤ／ＤＶＤ／ＣＤハイブリッドディスクである場合、図３（ａ）に示すように、アップサーチさせた時、先ず、ＦＥ信号において、ＢＤ層の記録面からの反射光に基づくＳカーブ（正パルスと負パルスの対）が得られ、次に、ＤＶＤ層によるＳカーブが得られ、最後に、ＣＤ層によるＳカーブが得られる。ダウンサーチさせた時、ＦＥ信号において、先ず、ＣＤ層によるＳカーブが得られ、次に、ＤＶＤ層によるＳカーブが得られ、最後に、ＢＤ層によるＳカーブが得られる。これは、図２（ｄ）に示すように、光ディスク２０が、ディスク表面からＢＤ層の記録面、ＤＶＤ層の記録面、ＣＤ層の記録面の順に積層しているためである
【００２７】
同様に、光ディスク２０が、ＢＤ／ＤＶＤハイブリッドディスクである場合、図３（ｂ）に示すように、アップサーチさせた時、ＦＥ信号において、先ず、ＢＤ層の記録面からの反射光に基づくＳカーブが得られ、次に、ＤＶＤ層によるＳカーブが得られる。ダウンサーチさせた時、先ず、ＦＥ信号において、ＤＶＤ層によるＳカーブが得られ、次に、ＢＤ層によるＳカーブが得られる。
【００２８】
同様に、光ディスク２０が、ＢＤ／ＣＤハイブリッドディスクである場合、図３（ｃ）に示すように、アップサーチさせた時、先ず、ＦＥ信号において、ＢＤ層の記録面からの反射光に基づくＳカーブが得られ、次に、ＣＤ層によるＳカーブが得られる。ダウンサーチさせた時、先ず、ＦＥ信号において、ＣＤ層の記録面からの反射光に基づくＳカーブが得られ、次に、ＢＤ層によるＳカーブが得られる。
【００２９】
ここで、本発明の実施形態に係るディスク再生装置１０のディスク判別方法の仕組みについて説明する。
【００３０】
上記で述べたように、ＢＤ層の記録面とＤＶＤ層の記録面とＣＤ層の記録面はそれぞれディスク表面からの距離が決まっている。そのため、対物レンズ１１ａを一定速度でアップスイープやダウンスイープをさせるようにすると、図４に示すように、始めに所定の規格の記録面からの反射光に基づくＳカーブが得られてから同じ規格の記録面によるＳカーブが得られる時間幅Ｔを予め決定することができる。そこで、アップサーチさせ、始めにＳカーブを得てから時間Ｔを測定し、時間Ｔが経ってからＳカーブを得た場合、それから時間Ｔを測定し、このことを繰り返すことによって、光ディスクの備える記録面の規格の数を計数することができる。
【００３１】
また、反射信号の強度によって、光ディスクの記録面の規格の種類を判別することができる。例えば、ＤＶＤ用レーザを用いた場合、その波長感度を考慮すると、ＢＤ層、ＤＶＤ層、ＣＤ層の記録面による反射信号強度は、「ＤＶＤ層による強度＞ＣＤ層による強度＞ＢＤ層による強度」の大小関係を持つ。
【００３２】
次に、本発明の実施形態に係るディスク再生装置１０の行うメディア判別処理について説明する。簡単に説明すると、ディスク再生装置１０は、下限位置からフォーカス方向に上限位置まで対物レンズ１１ａを移動させ、アップサーチを行わせ、ＦＥ信号において、一定時間内に検出したＳカーブを光ディスクの同一規格の記録層によるものと判別することを繰り返し、光ディスクが備える規格の数を計数し、計数した規格の数に従って、光ディスク２０の種別を判別する。
【００３３】
図５に示すフローチャートを参照して、メディア判別処理を説明する。
【００３４】
先ず、ユーザがディスク再生装置１０に光ディスク２０を装填したことを制御部１６が検知すると、制御部１６は、サーボ制御回路１７を制御して、対物レンズ１１ａのダウンスイープを開始する（ステップＳ１０１）。
【００３５】
制御部１６は、対物レンズ１１ａが駆動下限に達したか否かを判別する（ステップＳ１０２）。
【００３６】
対物レンズ１１ａが駆動下限に達していないと判別すると（ステップＳ１０２；Ｎｏ）、ステップＳ１０２に戻り、ダウンスイープを続ける。
【００３７】
対物レンズ１１ａが駆動下限に達したと判別すると（ステップＳ１０２；Ｙｅｓ）、対物レンズ１１ａのダウンスイープを停止する（ステップＳ１０３）。
【００３８】
制御部１６は、光ピックアップ１１のＤＶＤ用半導体レーザに赤色レーザ光を照射させる（ステップＳ１０４）。
【００３９】
制御部１６は、サーボ制御回路１７を制御して、対物レンズ１１ａのアップスイープを開始する（ステップＳ１０５）。
【００４０】
制御部１６は、ＦＥ信号においてＳカーブを検出したか否かを判別する（ステップＳ１０６）。
【００４１】
ステップＳ１０６において、ＦＥ信号においてＳカーブを検出したと判別すると（ステップＳ１０６；Ｙｅｓ）、制御部１６は、反射光強度を測定する（ステップＳ１０７）。
【００４２】
制御部１６は、測定した反射光強度がＢＤ層の記録面によるものか否かを判別する（ステップＳ１０８）。
【００４３】
ステップＳ１０８において、測定した反射光強度がＢＤ層の記録面によるものであると判別すると（ステップＳ１０８；Ｙｅｓ）、制御部１６は、光ディスク２０はＢＤ層を備えると判別し（ステップＳ１０９）、タイマをスタートさせ計時を開始する（ステップＳ１１０）。
【００４４】
制御部１６は、計時を開始してから時間Ｔが経過したか否かを判別する（ステップＳ１１１）。
【００４５】
ステップＳ１１１において、計時を開始してから時間Ｔが経過していないと判別すると（ステップＳ１１１；Ｎｏ）、計時を続け、ステップＳ１１１に戻る。
【００４６】
ステップＳ１１１において、計時を開始してから時間Ｔが経過したと判別すると（ステップＳ１１１；Ｙｅｓ）、制御部１６は、ＦＥ信号においてＳカーブを検出したか否かを判別する（ステップＳ１１２）。
【００４７】
ステップＳ１１２において、ＦＥ信号においてＳカーブを検出したと判別すると（ステップＳ１１２；Ｙｅｓ）、制御部１６は、タイマをスタートさせ計時を開始する（ステップＳ１１３）。
【００４８】
制御部１６は、計時を開始してから時間Ｔが経過したか否かを判別する（ステップＳ１１４）。
【００４９】
ステップＳ１１４において、計時を開始してから時間Ｔが経過していないと判別すると（ステップＳ１１４；Ｎｏ）、計時を続け、ステップＳ１１４に戻る。
【００５０】
ステップＳ１１４において、計時を開始してから時間Ｔが経過したと判別すると（ステップＳ１１４；Ｙｅｓ）、制御部１６は、それから、ＦＥ信号においてＳカーブを検出したか否かを判別する（ステップＳ１１５）。
【００５１】
ステップＳ１１５において、ＦＥ信号においてＳカーブを検出したと判別すると（ステップＳ１１５；Ｙｅｓ）、制御部１６は、光ディスク２０がＢＤ規格とＤＶＤ規格とＣＤ規格の記録面を備えるハイブリッドディスクであると判別し（ステップＳ１１６）、処理を終了する。
【００５２】
ステップＳ１１５において、ＦＥ信号においてＳカーブを検出していないと判別すると（ステップＳ１１５；Ｎｏ）、制御部１６は、対物レンズ１１ａが駆動上限に達したか否かを判別する（ステップＳ１１７）。
【００５３】
ステップＳ１１７において、対物レンズ１１ａが駆動上限に達したと判別すると（ステップＳ１１７；Ｙｅｓ）、制御部１６は、光ディスク２０がＢＤ規格とＤＶＤ規格の記録面を備えるハイブリッドディスクか、又は、ＢＤ規格とＣＤ規格の記録面を備えるハイブリッドディスクであると判別し（ステップＳ１１８）、処理を終了する。
【００５４】
ステップＳ１１７において、対物レンズ１１ａが駆動上限に達していないと判別すると（ステップＳ１１７；Ｎｏ）、ステップＳ１１５に戻る。
【００５５】
ステップＳ１１２において、ＦＥ信号においてＳカーブを検出していないと判別すると（ステップＳ１１２；Ｎｏ）、制御部１６は、対物レンズ１１ａが駆動上限に達したか否かを判別する（ステップＳ１１９）。
【００５６】
ステップＳ１１９において、対物レンズ１１ａが駆動上限に達したと判別すると（ステップＳ１１９；Ｙｅｓ）、制御部１６は、光ディスク２０は、ＢＤ規格の記録面のみを備えるディスクであると判別し（ステップＳ１２０）、処理を終了する。
【００５７】
ステップＳ１１９において、対物レンズ１１ａが駆動上限に達していないと判別すると（ステップＳ１１９；Ｎｏ）、ステップＳ１１２に戻る。
【００５８】
ステップＳ１０８において、測定した反射光強度がＢＤ層の記録面によるものではないと判別すると（ステップＳ１０８；Ｎｏ）、制御部１６は、光ディスク２０はＢＤ層を備えていないと判別し（ステップＳ１２１）、タイマをスタートさせ計時を開始する（ステップＳ１２２）。
【００５９】
制御部１６は、計時を開始してから時間Ｔが経過したか否かを判別する（ステップＳ１２３）。
【００６０】
ステップＳ１２３において、計時を開始してから時間Ｔが経過していないと判別すると（ステップＳ１２３；Ｎｏ）、計時を続け、ステップＳ１２３に戻る。
【００６１】
ステップＳ１２３において、計時を開始してから時間Ｔが経過したと判別すると（ステップＳ１２３；Ｙｅｓ）、制御部１６は、ＦＥ信号においてＳカーブを検出したか否かを判別する（ステップＳ１２４）。
【００６２】
ステップＳ１２４において、ＦＥ信号においてＳカーブを検出したと判別すると（ステップＳ１２４；Ｙｅｓ）、制御部１６は、光ディスク２０がＤＶＤ規格とＣＤ規格の記録面を備えるハイブリッドディスクであると判別し（ステップＳ１２５）、処理を終了する。
【００６３】
ステップＳ１２４において、ＦＥ信号においてＳカーブを検出していないと判別すると（ステップＳ１２４；Ｎｏ）、制御部１６は、対物レンズ１１ａが駆動上限に達したか否かを判別する（ステップＳ１２６）。
【００６４】
ステップＳ１２６において、対物レンズ１１ａが駆動上限に達したと判別すると（ステップＳ１２６；Ｙｅｓ）、制御部１６は、光ディスク２０は、ＤＶＤ規格の記録面のみを備えるディスクか、又は、ＣＤ規格の記録面のみを備えるディスクであると判別し（ステップＳ１２７）、処理を終了する。
【００６５】
ステップＳ１２６において、対物レンズ１１ａが駆動上限に達していないと判別すると（ステップＳ１２６；Ｎｏ）、ステップＳ１２４に戻る。
【００６６】
ステップＳ１０６において、ＦＥ信号においてＳカーブを検出していないと判別すると（ステップＳ１０６；Ｎｏ）、制御部１６は、対物レンズ１１ａが駆動上限に達したか否かを判別する（ステップＳ１２８）。
【００６７】
ステップＳ１２８において、対物レンズ１１ａが駆動上限に達していないと判別すると（ステップＳ１２８；Ｎｏ）、ステップＳ１０６に戻る。
【００６８】
ステップＳ１２８において、対物レンズ１１ａが駆動上限に達したと判別すると（ステップＳ１２８；Ｙｅｓ）、制御部１６は、ディスク再生装置１０に光ディスク２０が装填されていないと判別し（ステップＳ１２９）、処理を終了する。
【００６９】
このようなメディア判別処理により、対物レンズをアップスイープする段階でのメディア判別が可能になる。また、処理の過程が簡単なため、迅速なメディア判別が可能になる。
【００７０】
なお、本発明は上記実施形態に限定されず、種々の変形及び応用が可能である。
【００７１】
上記実施形態では、メディア判別処理のステップＳ１０８とステップＳ１０９において、反射光強度を測定し、その強度がＢＤ層による反射光強度であるか否かを判別した。そこで、応用例として、反射光強度がＤＶＤ層による反射光強度であるか否かを判別するステップを加えることによって、さらに詳しいメディア判別を行うことができるようにしてもよい。
【００７２】
図６に示すフローチャートを参照して、応用例におけるメディア判別処理を説明する。
【００７３】
先ず、ユーザがディスク再生装置１０に光ディスク２０を装填したことを制御部１６が検知すると、制御部１６は、サーボ制御回路１７を制御して、対物レンズ１１ａのダウンスイープを開始する（ステップＳ２０１）。
【００７４】
制御部１６は、対物レンズ１１ａが駆動下限に達したか否かを判別する（ステップＳ２０２）。
【００７５】
対物レンズ１１ａが駆動下限に達していないと判別すると（ステップＳ２０２；Ｎｏ）、ダウンスイープを続け、ステップＳ２０２に戻る。
【００７６】
対物レンズ１１ａが駆動下限に達したと判別すると（ステップＳ２０２；Ｙｅｓ）、対物レンズ１１ａのダウンスイープを停止する（ステップＳ２０３）。
【００７７】
制御部１６は、光ピックアップ１１のＤＶＤ用半導体レーザに赤色レーザ光を照射させる（ステップＳ２０４）。
【００７８】
制御部１６は、サーボ制御回路１７を制御して、対物レンズ１１ａのアップスイープを開始する（ステップＳ２０５）。
【００７９】
制御部１６は、ＦＥ信号においてＳカーブを検出したか否かを判別する（ステップＳ２０６）。
【００８０】
ステップＳ２０６において、ＦＥ信号においてＳカーブを検出したと判別すると（ステップＳ２０６；Ｙｅｓ）、制御部１６は、反射光強度を測定する（ステップＳ２０７）。
【００８１】
制御部１６は、測定した反射光強度がＢＤ層の記録面によるものか否かを判別する（ステップＳ２０８）。
【００８２】
ステップＳ２０８において、測定した反射光強度がＢＤ層の記録面によるものであると判別すると（ステップＳ２０８；Ｙｅｓ）、制御部１６は、光ディスク２０はＢＤ層を備えると判別し（ステップＳ２０９）、タイマをスタートさせ、時間Ｔを計時する（ステップＳ２１０）。
【００８３】
制御部１６は、ステップＳ２１０における時間Ｔの計時が終わってからのＦＥ信号においてＳカーブを検出したか否かを判別する（ステップＳ２１１）。
【００８４】
ステップＳ２１１において、ＦＥ信号においてＳカーブを検出したと判別すると（ステップＳ２１１；Ｙｅｓ）、制御部１６は、反射光強度を測定する（ステップＳ２１２）。
【００８５】
制御部１６は、測定した反射光強度がＤＶＤ層の記録面によるものか否かを判別する（ステップＳ２１３）。
【００８６】
ステップＳ２１３において、測定した反射光強度がＤＶＤ層の記録面によるものであると判別すると（ステップＳ２１３；Ｙｅｓ）、制御部１６は、光ディスク２０はＤＶＤ層を備えると判別し（ステップＳ２１４）、タイマをスタートさせ、時間Ｔを計時する（ステップＳ２１５）。
【００８７】
制御部１６は、ステップＳ２１５における時間Ｔの計時が終わってから、ＦＥ信号においてＳカーブを検出したか否かを判別する（ステップＳ２１６）。
【００８８】
ステップＳ２１６において、ＦＥ信号においてＳカーブを検出したと判別すると（ステップＳ２１６；Ｙｅｓ）、制御部１６は、光ディスク２０がＢＤ規格とＤＶＤ規格とＣＤ規格との記録面を備えるハイブリッドディスクであると判別し（ステップＳ２１７）、処理を終了する。
【００８９】
ステップＳ２１６において、ＦＥ信号においてＳカーブを検出していないと判別すると（ステップＳ２１６；Ｎｏ）、制御部１６は、対物レンズ１１ａが駆動上限に達したか否かを判別する（ステップＳ２１８）。
【００９０】
ステップＳ２１８において、対物レンズ１１ａが駆動上限に達したと判別すると（ステップＳ２１８；Ｙｅｓ）、制御部１６は、光ディスク２０がＢＤ規格とＤＶＤ規格の記録面を備えるハイブリッドディスクであると判別し（ステップＳ２１９）、処理を終了する。
【００９１】
ステップＳ２１８において、対物レンズ１１ａが駆動上限に達していないと判別すると（ステップＳ２１８；Ｎｏ）、ステップＳ２１６に戻る。
【００９２】
ステップＳ２１３において、測定した反射光強度がＤＶＤ層の記録面によるものでないと判別すると（ステップＳ２１３；Ｎｏ）、制御部１６は、光ディスク２０はＤＶＤ層を備えないと判別し（ステップＳ２２０）、光ディスク２０がＢＤ規格とＣＤ規格との記録面を備えるハイブリッドディスクであると判別し（ステップＳ２２１）、処理を終了する。
【００９３】
ステップＳ２１１において、ＦＥ信号においてＳカーブを検出していないと判別すると（ステップＳ２１１；Ｎｏ）、制御部１６は、対物レンズ１１ａが駆動上限に達したか否かを判別する（ステップＳ２２２）。
【００９４】
ステップＳ２２２において、対物レンズ１１ａが駆動上限に達したと判別すると（ステップＳ２２２；Ｙｅｓ）、制御部１６は、光ディスク２０は、ＢＤ規格の記録面のみを備えるディスクであると判別し（ステップＳ２２３）、処理を終了する。
【００９５】
ステップＳ２２２において、対物レンズ１１ａが駆動上限に達していないと判別すると（ステップＳ２２２；Ｎｏ）、ステップＳ２１１に戻る。
【００９６】
ステップＳ２０８において、測定した反射光強度がＢＤ層の記録面によるものでないと判別すると（ステップＳ２０８；Ｎｏ）、制御部１６は、光ディスク２０はＢＤ層を備えていないと判別する（ステップＳ２２４）。そして、制御部１６は、測定した反射光強度がＤＶＤ層の記録面によるものであるか否かを判別する（ステップＳ２２５）。
【００９７】
ステップＳ２２５において、測定した反射光強度がＤＶＤ層の記録面によるものであると判別すると（ステップＳ２２５；Ｙｅｓ）、制御部１６は、光ディスク２０はＤＶＤ層を備えると判別し（ステップＳ２２６）、タイマをスタートさせ、時間Ｔを計時する（ステップＳ２２７）。
【００９８】
制御部１６は、ステップＳ２２７における時間Ｔの計時が終わってから、ＦＥ信号においてＳカーブを検出したか否かを判別する（ステップＳ２２８）。
【００９９】
ステップＳ２２８において、ＦＥ信号においてＳカーブを検出したと判別すると（ステップＳ２２８；Ｙｅｓ）、制御部１６は、光ディスク２０がＤＶＤ規格とＣＤ規格との記録面を備えるハイブリッドディスクであると判別し（ステップＳ２２９）、処理を終了する。
【０１００】
ステップＳ２２８において、ＦＥ信号においてＳカーブを検出していないと判別すると（ステップＳ２２８；Ｎｏ）、制御部１６は、対物レンズ１１ａが駆動上限に達したか否かを判別する（ステップＳ２３０）。
【０１０１】
ステップＳ２３０において、対物レンズ１１ａが駆動上限に達したと判別すると（ステップＳ２３０；Ｙｅｓ）、制御部１６は、光ディスク２０がＤＶＤ規格の記録面のみを備えるディスクであると判別し（ステップＳ２３１）、処理を終了する。
【０１０２】
ステップＳ２３０において、対物レンズ１１ａが駆動上限に達していないと判別すると（ステップＳ２３０；Ｎｏ）、ステップＳ２２８に戻る。
【０１０３】
ステップＳ２２５において、測定した反射光強度がＤＶＤ層の記録面によるものでないと判別すると（ステップＳ２２５；Ｎｏ）、制御部１６は、光ディスク２０はＤＶＤ層を備えないと判別し（ステップＳ２３２）、光ディスク２０がＣＤ規格との記録面のみを備えるディスクであると判別し（ステップＳ２３３）、処理を終了する。
【０１０４】
ステップＳ２０６において、ＦＥ信号においてＳカーブを検出していないと判別すると（ステップＳ２０６；Ｎｏ）、制御部１６は、対物レンズ１１ａが駆動上限に達したか否かを判別する（ステップＳ２３４）。
【０１０５】
ステップＳ２３４において、対物レンズ１１ａが駆動上限に達していないと判別すると（ステップＳ２３４；Ｎｏ）、ステップＳ２０６に戻る。
【０１０６】
ステップＳ２３４において、対物レンズ１１ａが駆動上限に達したと判別すると（ステップＳ２３４；Ｙｅｓ）、制御部１６は、ディスク再生装置１０に光ディスク２０が装填されていないと判別し（ステップＳ２３５）、処理を終了する。
【０１０７】
この様にして、応用例におけるメディア判別処理によれば、上記実施形態のメディア判別処理と較べて、さらに詳細なメディア判別を行うことができる。
【０１０８】
以上説明したように、本発明によれば、ハイブリッドディスクを含む光ディスクの規格の種別を迅速に判別して再生するために好適なディスク再生装置、ディスク判別方法を提供することができる。
【図面の簡単な説明】
【０１０９】
【図１】本発明の実施形態に係るディスク再生装置の構成の一例を示す模式図である。
【図２】光ディスクにおいて各規格の記録面がある位置を示す断面図である。
【図３】通常のディスク判別方法で得られる反射信号を示す図である。
【図４】本発明の実施形態に係るディスク判別方法で得られる反射信号を示すグラフである。
【図５】メディア判別処理を示すフローチャートである。
【図６】応用例におけるメディア判別処理を示すフローチャートである。
【符号の説明】
【０１１０】
１０    ディスク再生装置
１１    光ピックアップ
１１ａ  対物レンズ
１２    信号処理回路
１３    ＡＤ変換回路
１４    デコーダ回路
１５    ＡＤ変換回路
１６    制御部
１７    サーボ制御回路
１８    ピックアップドライバ
２０    光ディスク
【図１】
2008097739.tif 000003
【図２】
2008097739.tif 000004
【図３】
2008097739.tif 000005
【図４】
2008097739.tif 000006
【図５】
2008097739.tif 000007
【図６】
2008097739.tif 000008